(57)【要約】      （修正有）【課題】主に、スポーツウェアに使用されるメッシュ材を用いたシャツであり、副次的に安全な機能を有するメッシュ素材の上衣を提供する。【解決手段】メッシュ素材で構成されたシャツ等の上衣１において、該上衣１の一部分を２枚重ねに形成し、この２枚重ねの部分に、光反射テープ材３を挟んで縫着したことを特徴とし、光反射テープ材３は、上衣１の前身頃１ａの肩ヨーク部分２、後身頃の肩ヨーク部分、そして前・後の身頃に一体に設けてもよいことを特徴とするメッシュ素材の上衣である。【選択図】図１
0003203720.tif 000002
【実用新案登録請求の範囲】
【請求項１】
メッシュ素材で構成されたシャツ等の上衣（１）において、
該上衣（１）の一部分を２枚重ねに形成し、
この２枚重ねの部分に、光反射テープ材（３）を挟んで縫着した
ことを特徴とするメッシュ素材の上衣。
【請求項２】
前記２枚重ねの部分が、
前記上衣（１）の前身頃（１ａ）の肩ヨーク部分（２）であって、
該２枚重ねの肩ヨーク部分（２）に、光反射テープ材（３）を挟んで縫着した
ことを特徴とする請求項１記載のメッシュ素材の上衣。
【請求項３】
前記２枚重ねの部分が、
前記上衣（１）の後身頃（１ｂ）の肩ヨーク部分（２′）であって、
該２枚重ねの肩ヨーク部分（２′）に、光反射テープ材（３）を挟んで縫着した
ことを特徴とする請求項１記載のメッシュ素材の上衣。
【請求項４】
前記２枚重ねの部分が、
前記上衣（１）の前身頃（１ａ）と後身頃（１ｂ）の肩ヨーク部分（２）（２′）であって、
該２枚重ねの肩ヨーク部分（２）（２′）に、光反射テープ材（３）を挟んで縫着した  ことを特徴とする請求項１記載のメッシュ素材の上衣。
【考案の詳細な説明】
【技術分野】
【０００１】
この考案は、メッシュ素材の上衣に関するものである。
【０００２】
従来より、メッシュ素材のシャツ等の上衣は、種々製造販売されている。スポーツや激しい運動や作業の際の気になる発汗防止や体の放熱に優れており、着心地よく快適に着用できるものである。
【０００３】
そこで、このメッシュ素材の上衣に、さらに他の機能を加え、夜間の歩行等に際して光反射部材を上衣に設けようとするものである。
【０００４】
しかし、作業用の衣服に、光反射テープやＬＥＤ等の自己発光体が被服の表面に設けられているものは存在している。例えば、特許文献１のように。
【先行技術文献】
【特許文献】
【０００５】
【特許文献１】特開２０００−１７５０７号公報
【０００６】
しかしながら、上記技術の衣服は、仕事上（作業の際に）で着用するものであり、スポーツとか散歩等の趣味（プライベート）で着用するものではなかった。
【考案の概要】
【考案が解決しようとする課題】
【０００７】
そこで、この考案が解決しようとする課題は、主に、スポーツウェアに使用されるメッシュ材を用いたシャツ等の上衣であり、副次的に安全な機能を有するメッシュ素材の上衣を開発・提供することにある。
【課題を解決するための手段】
【０００８】
この考案のメッシュ素材の上衣は、
メッシュ素材で構成されたシャツ等の上衣において、
該シャツの一部分を２枚重ねに形成し、
該２枚重ねの部分に、光反射テープ材を挟んで縫着した
ことを特徴とする。
【０００９】
また、
前記２枚重ねの部分が、
前記上衣の前身頃の肩ヨーク部分であって、
該２枚重ねの肩ヨーク部分に、光反射テープ材を挟んで縫着した
ことを特徴とする。
【００１０】
そして、
前記２枚重ねの部分が、
前記上衣の後身頃の肩ヨーク部分であって、
該２枚重ねの肩ヨーク部分に、光反射テープ材を挟んで縫着した
ことを特徴とする。
【００１１】
さらに、
前記２枚重ねの部分が、
前記上衣の前身頃と後身頃の肩ヨーク部分であって、
該２枚重ねの肩ヨーク部分に、光反射テープ材を挟んで縫着した
ことを特徴とする。
【考案の効果】
【００１２】
この考案によると、メッシュ素材でシャツ等の上衣を構成しており、通気性に富むことは元より、２枚重ねのメッシュ素材の間に光反射テープを設けたものであり、光反射テープは表面に露出しておらず破損し難く、耐候性もあり、昼間に見れば単なるシャツであるが、夜間には、光反射テープが反射し、表面のメッシュ材に隠れて設けられているが、メッシュ材の小さいメッシュの穴から反応して輝度には何の問題なく、この光の反射によって交通安全の効果等の効果を奏する。
【００１３】
さらに、前身頃、後身頃の肩ヨーク部分は、２枚重ねとなっており１枚のもに比べて堅牢である等の効果を有する。
【図面の簡単な説明】
【００１４】
【図１】この考案の一実施例を示す正面図である。
【図２】この考案の一実施例を示す一部欠截背面図である。
【図３】この考案の一実施例を示す一部欠截背面図である。
【図４】この考案のそれぞれ実施例を示し、（Ａ）は、前身頃、（Ｂ）は、後身頃、そして（Ｃ）は、前身頃と後身頃のそれぞれ一部欠截断面図である。
【考案を実施するための形態】
【００１５】
以下、この考案について詳細に説明する。尚、この考案においては、以下の記述に限定されるものではなく、この考案の要旨を逸脱しない範囲においては適宜変更可能である。
【実施例】
【００１６】
先ず、この考案の一実施例を図面に基づいて詳述すると、メッシュ素材で構成された上衣（１）において、該上衣（１）の一部分を２枚重ねに形成し、該２枚重ねの部分に、光反射テープ材（３）を挟んで縫着したことを特徴とするメッシュ素材のシャツ等の上衣から構成されている。
【００１７】
そして、メッシュ素材で構成されたシャツ等の上衣（１）において、該上衣（１）の前身頃（１ａ）の肩ヨーク部分（２）を２枚重ねに形成し、該２枚重ねの肩ヨーク部分（２）に、光反射テープ材（３）を挟んで縫着したことを特徴とするメッシュ素材の上衣から構成される。
【００１８】
また、メッシュ素材で構成されたシャツ等の上衣（１）において、該上衣（１）の後身頃（１ｂ）の肩ヨーク部分（２′）を２枚重ねに形成し、該２枚重ねの肩ヨーク部分（２′）に、光反射テープ材（３）を挟んで縫着したことを特徴とするメッシュ素材の上衣から構成されている。
【００１９】
なお、前記光反射テープ材（３）は、前身頃（１ａ）あるいは後身頃（１ｂ）のそれぞれ肩ヨーク部分（２）に縫着する場合には、図１，図２に示すように両肩部に設けてもよく、また、図示はしないがいずれか一方の肩部に設けてもよい。
【００２０】
さらに、メッシュ素材で構成された上衣（１）において、該上衣（１）の前身頃（１ａ）および後身頃（１ｂ）の肩ヨーク部分（２）（２′）を、それぞれ２枚重ねに形成し、該２枚重ねの肩ヨーク部分（２）（２′）に、光反射テープ材（３）を挟んで、連続あるいは、それぞれ縫着したことを特徴とするメッシュ素材のシャツ等の上衣から構成されている。
【００２１】
また、前記光反射テープ材（３）は、前身頃（１ａ）と後身頃（１ｂ）に向けて連続的に設けてもよく、それぞれ個々に設けてもよく、それによって縫製が異なる。
【００２２】
そして、図４中の符号Ｘ，Ｘ′，Ｘ″は、いずれもメッシュ素材のシャツ等の上衣（１）の２枚重ねの肩ヨーク部分（２）（２′）に光反射テープ材（３）を、糸材にて縫着する縫着部である。図４（Ａ）、図４（Ｂ）、そして図４（Ｃ）はいずれも、図１中ａ−ａ方向から見た一部欠截断面図である。
【００２３】
さらに、メッシュ素材で構成されたシャツ等の上衣（１）とは、図面では半袖のものを示したが、長袖であってもよく、また、メッシュ素材で構成された上衣であれば、スポーツシャツ、ポロシャツ等、ジャケット等であってもよく、特に限定しない。
【産業上の利用可能性】
【００２４】
この考案のメッシュ素材の上衣の技術を確立し、実施することにより、産業上利用できるものである。
【符号の説明】
【００２５】
１  シャツ等の上衣
１ａ  前身頃
１ｂ  後身頃
２  肩ヨーク部分
２′肩ヨーク部分
３  光反射テープ材
Ｘ，Ｘ′，Ｘ″縫着部
【図１】
0003203720.tif 000003
【図２】
0003203720.tif 000004
【図３】
0003203720.tif 000005
【図４】
0003203720.tif 000006